(57)【要約】【課題】風雪に耐えうる耐久性を向上しつつ、容易に設営及び撤収が可能となる組立式テント及び組立式テント用部品を提供すること【解決手段】コンクリートからなる床部１２と、コンクリートから構成され、垂直をなして床部１２に固着される板状の第１壁部１２Ａ１と、コンクリートから構成され、垂直をなして床部１２に固着され、かつ、第１壁部１２Ａ１の側端部に固着される第２壁部１２Ｂ１と、金属から構成され、床部１２と垂直をなして立設するための複数の第１フレーム２０Ａ−２０Ｄと、床部１２と垂直をなす第３壁部となるための第１幕体４０と、屋根部となるための第２幕体３０と、を備える組立式テント１０。【選択図】図１
2020041283.tif 000002
【特許請求の範囲】
【請求項１】
コンクリートから構成され、地面に対して固定される板状の床部と、
コンクリートから構成され、垂直をなして前記床部に固着される板状の第１壁部と、
コンクリートから構成され、垂直をなして前記床部に固着され、かつ、前記第１壁部の側端部に固着される第２壁部と、
金属から構成され、垂直をなして前記床部から立設するための複数の第１フレームと、
金属から構成され、前記床部から離間して前記複数の第１フレーム同士を接続するための第２フレームと、
折り畳み可能な幕体であって、前記複数の第１フレーム及び前記第２フレームによって支持されることにより、前記床部と垂直をなす第３壁部となるための第１幕体と、
折り畳み可能な幕体であって、少なくとも、前記第１壁部、前記第２壁部及び前記第３壁部で囲まれる領域を覆うための屋根部となるための第２幕体と、
を備える組立式テント。
【請求項２】
前記第１壁部及び前記第２壁部は、それぞれ、積層されたコンクリートブロックと、前記積層されたコンクリートブロックの表面に塗布される塗布材とを備えることを特徴とする請求項１に記載の組立式テント。
【請求項３】
前記床部、前記第１壁部、前記第２壁部、前記第１幕体及び前記第２幕体で囲まれる第１の空間と、前記床部、前記第１幕体及び前記第２幕体で囲まれ、前記第１壁部又は前記第２壁部で囲まれない第２の空間が形成されることを特徴とする請求項１に記載の組立式テント。
【請求項４】
前記床部は、平面視において四つの辺を有する矩形状に形成され、
前記第１壁部は、前記四つの辺のうち、一つの辺にわたって、前記床部に固着され、
前記第２壁部は、前記四つの辺のうち、他の一つの辺の少なくとも一部にわたって、前記床部に固着され、かつ、垂直をなして前記第１壁部の側端部に固着されていることを特徴とする請求項１に記載の組立式テント。
【請求項５】
コンクリートから構成され、垂直をなして前記床部に固着され、かつ、角度をなして前記第１壁部の内壁面と固着される第４壁部と、
コンクリートから構成され、垂直をなして前記床部に固着され、かつ、角度をなして前記第２壁部の内壁面と固着される第５壁部とを更に備えることにより、前記第１壁部、前記第２壁部及び前記第３壁部で囲まれる空間内に、前記第１壁部、前記第２壁部、前記第４壁部及び前記第５壁部で囲まれる空間を設けることが可能に構成される請求項４に記載の組立式テント。
【請求項６】
前記床部は、平面視において複数の辺を有する多角形状に形成され、
前記第１壁部は、前記複数の辺のうち、一つの辺の少なくとも一部にわたって、前記床部に固着され、
前記第２壁部は、前記複数の辺のうち、他の一つの辺の少なくとも一部にわたって、前記床部に固着され、かつ、前記第１壁部の側端部に固着されており、
前記複数の第１フレームは、前記床部の複数の角部のうち、前記第２壁部に固着する前記第１壁部の側端部に相当する角部を除く、一つ以上の角部において、前記床部と垂直をなして立設していることを特徴とする請求項１に記載の組立式テント。
【請求項７】
コンクリートから構成され、垂直をなして前記床部に固着され、かつ、前記第２壁部の側端部と連続的に固着されており、かつ、前記第２壁部よりも高さが低い第６壁部を更に備えることを特徴とする請求項１に記載の組立式テント。
【請求項８】
地面に対して固定される板状の床部と、
垂直をなして前記床部に固着される板状の第１壁部と、
垂直をなして前記床部に固着され、かつ、前記第１壁部の側端部に固着される第２壁部と、
垂直をなして前記床部から立設するための複数の第１フレームと、
前記床部から離間して前記複数の第１フレーム同士を接続するための第２フレームと、
折り畳み可能な幕体であって、前記複数の第１フレーム及び前記第２フレームによって支持されることにより、前記床部と垂直をなす第３壁部となるための第１幕体と、
折り畳み可能な幕体であって、少なくとも、前記第１壁部、前記第２壁部及び前記第３壁部で囲まれる領域を覆うための屋根部となるための第２幕体と、
を備える組立式テント。
【請求項９】
コンクリートから構成され、地面に対して固定される板状の床部と、
コンクリートから構成され、垂直をなして前記床部に固着される板状の第１壁部と、
コンクリートから構成され、垂直をなして前記床部に固着され、かつ、前記第１壁部の側端部に固着される第２壁部とを利用して組立式テントを構成するための組立式テント用部品であって、
金属から構成され、前記床部と垂直をなして立設するための複数の第１フレームと、
金属から構成され、前記床部から離間して前記複数の第１フレーム同士を接続するための第２フレームと、
折り畳み可能な幕体であって、前記複数の第１フレーム及び前記第２フレームによって支持されることにより、前記床部と垂直をなす第３壁部となるための第１幕体と、
折り畳み可能な幕体であって、少なくとも、前記第１壁部、前記第２壁部及び前記第３壁部で囲まれる領域を覆うための屋根部となるための第２幕体と、
を備える組立式テント用部品。
【発明の詳細な説明】
【技術分野】
【０００１】
本発明は、組立式テント及び組立式テント用部品に関する。
【背景技術】
【０００２】
従来より、山地、工事現場、キャンプ場、及び、被災地等において、休息を得るための簡易な家屋として、テントやシェルター、若しくは、木造又は石造の小屋等が知られている。
【０００３】
特許文献１には、可撓性幕を無端フレームで支持することにより複数の壁部を形成したテントが示されている。例えば、同文献の図１４には、略四角形の四隅が湾曲された可撓性幕の周囲に無端を挿通することにより、４つの壁部と、天井部を備えるテントがしめされている。
【０００４】
特許文献２には、屋根、壁、床等をそれぞれ分解することができ、ボルト等により組み立てることでプレハブ式の組立小屋や、コンテナ式の移動家屋が紹介されている。
【先行技術文献】
【特許文献】
【０００５】
【特許文献１】特許第６００１８０４号公報
【特許文献２】特開平４−３４３９３９号公報
【発明の概要】
【発明が解決しようとする課題】
【０００６】
しかしながら、特許文献１に示されたテントや、シェルターは、比較的に容易に設営や撤収することできる長所を有する一方で、長期間にわたって風雪に耐えることができる耐久性を持ち合わせていない。
【０００７】
一方で、プレハブ式の組立小屋は、十分な耐久性を備えている一方で、設営や撤収のためには、多くの人手と多大な時間を要してしまう。
【０００８】
コンテナ式の移動家屋は、クレーン等で移動家屋を運搬するトラックから降ろさなければ利用することができない。また、トラックが移動できる付近にしか設営することができない。
【０００９】
そこで本発明は、風雪に耐えうる耐久性を向上しつつ、容易に設営及び撤収が可能となる組立式テント及び組立式テント用部品を提供することを目的とする。
【課題を解決するための手段】
【００１０】
本開示に係る組立式テントは、コンクリートから構成され、地面に対して固定される板状の床部と、コンクリートから構成され、垂直をなして床部に固着される板状の第１壁部と、コンクリートから構成され、垂直をなして床部に固着され、かつ、第１壁部の側端部に固着される第２壁部と、金属から構成され、垂直をなして床部から立設するための複数の第１フレームと、金属から構成され、床部から離間して複数の第１フレーム同士を接続するための第２フレームと、折り畳み可能な幕体であって、複数の第１フレーム及び第２フレームによって支持されることにより、床部と垂直をなす第３壁部となるための第１幕体と、折り畳み可能な幕体であって、少なくとも、第１壁部、第２壁部及び第３壁部で囲まれる領域を覆うための屋根部となるための第２幕体と、を備える。
【００１１】
ただし、コンクリートとは、セメント、水及び砂利を含有する建築用の材料である。また、第１壁部等をなすコンクリートと、床部をなすコンクリートの材料は、同一でなくてもよい。また、コンクリートから構成される、とは、コンクリートのみから形成する場合のみならず、コンクリートブロックを積層して壁部等を形成する場合を含む。また、鉄筋コンクリートのように、コンクリート以外の素材を含んでもよい。また、左官仕上げをして、表面にモルタル等の材料を塗布して壁面を形成してもよい。更に、レンガや自然石などの石材を積み重ねて壁部を形成することもできる。また、コンクリート等の石材から壁部を構成することが好ましいものの、木材のみから壁部及び床を形成してもよい。更に、壁部を土から形成して土壁としてもよい。第１フレーム及び第２フレームは、伸縮自在に形成してもよい。従って、組立前は、短い状態であってもよい。また、幕体やフレームは、それぞれ折りたたんだ状態で提供されてもよい。
【００１２】
また、全部、又は、一部の第１フレームと第２フレームは、予め連結されていてもよい。また、全部、又は、一部の第１幕体と、第２幕体は、予め連結されていてもよい。
【００１３】
そして、これら第１フレーム、第２フレーム、第１幕体及び第２幕体は、コンクリートからなる床部、第１壁部及び第２壁部で囲まれる空間に収納可能に構成してもよい。このような構成とすることにより、汚れや劣化を抑えつつ、フレームや幕体を保管することが可能になる。例えば、屋外イベントや、宿泊施設、あるいは、山地において遭難した登山者のための避難施設として、本開示に係る組立式テントを提供することが可能となる。
【００１４】
本開示に係る組立式テント用部品は、コンクリートから構成され、地面に対して固定される板状の床部と、コンクリートから構成され、垂直をなして床部に固着される板状の第１壁部と、コンクリートから構成され、垂直をなして床部に固着され、かつ、第１壁部の側端部に固着される第２壁部とを利用して組立式テントを構成するための部品である。そして、金属から構成され、垂直をなして床部から立設するための複数の第１フレームと、金属から構成され、床部から離間して複数の第１フレーム同士を接続するための第２フレームと、折り畳み可能な幕体であって、複数の第１フレーム及び第２フレームによって支持されることにより、床部と垂直をなす第３壁部となるための第１幕体と、折り畳み可能な幕体であって、少なくとも、第１壁部、第２壁部及び第３壁部で囲まれる領域を覆うための屋根部となるための第２幕体と、を備える。
【図面の簡単な説明】
【００１５】
【図１】組立式テント１０の間取りを示す平面図
【図２】組立式テント１０の組立工程を示す斜視図
【図３】組立式テント１０の組立工程を示す斜視図
【図４】組立後の組立式テント１０の斜視図
【図５】組立式テント１０の正面図、右側面図、左側面図及び背面図
【発明を実施するための形態】
【００１６】
以下、本発明の実施形態について図面を用いて説明する。以下の実施形態は、本発明を説明するための例示であり、本発明をその実施形態のみに限定する趣旨ではない。
【００１７】
図１は、組立式テント１０の間取りを示す平面図である。図２乃至図５４、本実施形態に係る組立式テント１０を組み立てるための各ステップにおける組立式テント１０の状態を示す斜視図である。図２は、フレームを設置した状態を示し、図３は、その後に、幕体を設置した状態を示している。図４は、組み立てが完成した組立式テント１０を示している。図５（ｃ）は、組立式テント１０の正面図、図５（ａ）は、同右側面図、図５（ｄ）は、同左側面図、図５（ｂ）は、同背面図である。
【００１８】
図１に示されるように、組立式テント１０は、平面視において、２つの平行な長辺１２Ａ１及び１２Ａ２と、これに垂直に接続される２つの平行な短辺１２Ｂ１及び１２Ｂ２と、４つの角部１２Ｃ１乃至１２Ｃ４を有する矩形の床部１２を備えている。床部１２の大きさは、適宜設定可能である。例えば、長辺は６〜１０ｍ程度の長さを有し、短辺は３〜６ｍ程度の長さを有する板状に形成されている。
【００１９】
床部１２は、例えば、地面上に砕石を敷いて基礎となる層を形成し、その層上に設けた矩形の枠内にコンクリートを塗布し、硬化させた後に型枠を外すことで板状に形成される。内部に金属のワイヤーなどを通して床部１２の強度の向上を図ってもよい。また、モルタルや撥水材等を表面に塗布してもよい。なお、床部１２上の空間の居住性を高めるために、床部１２上に、更に、合板のフローリングや、断熱材などの床材を敷いてもよい。図２に示されるように、本実施形態において、床部１２は、コンクリートが露出する領域１２Ｄと、床材を敷いた領域１２Ｅに分けられている。例えば、土足で、調理作業や食事をするスペースとして領域１２Ｄ上の空間ＤＳを利用し、脱靴して就寝等するスペースとして領域１２Ｅ上の空間ＬＳを利用するようにしてもよい。
【００２０】
組立式テント１０は、床部１２の端部からＬ字形に立ち上がるように形成される板状の壁部１４Ｂ１を有する。本実施形態においては、壁部１４Ｂ１は、短辺１２Ｂ１と同じ３〜６ｍの幅を有し、１〜３ｍの高さを有する板状に形成される。また、壁部１４Ｂ１は、下側の端部において、短辺１２Ｂ１の全体にわたって床部１２に固着されている。ただし、これに限られるものではなく、例えば、短辺１２Ｂ１の半分程度の幅を有するように床部１２を形成してもよい。
【００２１】
壁部１４Ｂ１は、床部１２と同様に、型枠内にペースト状のコンクリートを流し込み、硬化することで形成できる。ただし、予め工場等で硬化されているコンクリート壁を金具などで床部１２に固定するように壁部１４Ｂ１を形成してもよい。また、コンクリートブロックを積層させて、壁部１４Ｂ１を形成してもよい。従って、壁部１４Ａ１と床部１２は、必ずしも同一の組成を有するコンクリートから形成される必要はない。
【００２２】
組立式テント１０は、同様に、床部１２から垂直に立ち上がって形成されるコンクリートからなる板状の壁部１４Ａ１乃至１４Ａ４及び１４Ｂ２を備える。各壁部は、垂直をなして床部１２に固着されている。
【００２３】
壁部１４Ａ１は、床部１２のうち、脱靴して就寝等するために利用する領域１２Ｅ上の空間の壁部として形成される。例えば、床部１２のうち、概ね三分の一の領域を領域１２Ｄとし、残りの三分の二の領域を領域１２Ｅとして利用する場合、壁部１４Ａ１は、角部１２Ｃ１を含む長辺１２Ａ１の概ね三分の二の幅を有し、壁部１４Ｂ１と同一の高さを有する板状に形成される。また、壁部１４Ａ１の角部１２Ｃ１側の側端部は、壁部１４Ｂ１の側端部にも固着される。
【００２４】
このような構成の結果、領域１２Ｅ上には、コンクリートの壁面を一部に備える、堅牢で耐久性が高く、快適な空間ＬＳ及び後述する空間ＰＳが設けられる。図１には、空間ＬＳ内に、２つのベッド等と、薪ストーブＳＴが設置されている様子が示されている。薪ストーブＳＴの煙突は、壁部１４Ａ１を貫通し、外気に連通している。このように、床部１２及び壁部１４Ａ１を、耐熱性及び耐火性に優れるコンクリートから形成したため、従来のテントでは設置することが困難であった設備を設置することが可能になる。
【００２５】
壁部１４Ｂ２は、領域１２Ｅ上に形成される空間に、更に、プライベートな空間ＰＳ（図１）を形成するために設けられる。壁部１４Ｂ２は、側端部において、壁部１４Ｂ１の内壁面と垂直に固着される。壁部１４Ｂ１との固着位置は、例えば、平面視において、角部１２Ｃ１から、短辺１２Ｂ１の四分の一以上半分以下の長さだけ離間した位置とすることができる。壁部１４Ｂ２の幅は、壁部１４Ａ１の幅の半分以上であるが、これに限られるものではなく、例えば、壁部１４Ａ１の幅の四分の一以上半分以下とすることができる。また、壁部１４Ｂ２の高さは、壁部１４Ｂ１と同一又はそれ以下とすることができる。
【００２６】
壁部１４Ａ２は、壁部１４Ｂ２とともに、プライベートな空間ＰＳを形成するために設けられる。壁部１４Ａ２は、側端部において、壁部１４Ａ１の内壁面と垂直に固着される。壁部１４Ａ１との固着位置は、例えば、平面視において、角部１２Ｃ１から、壁部１４Ｂ２の幅と同一の距離（すなわち、長辺１２Ａ１の四分の一以上半分以下の長さ）だけ離間した位置とすることができる。図２に示されるように、壁部１４Ａ２の他方の側端部は、壁部１４Ｂ２と離間して設けられている。その結果、壁部１４Ｂ２と、壁部１４Ａ２との間に、空間ＰＳに出入りするための隙間を設けることができる。この隙間には、適宜、扉を設けることができる。また、扉の上方に、壁部１４Ｂ２と固着される木材を設けてもよい。
【００２７】
以上のような構成の結果、コンクリートからなる４つの壁部１４Ａ１、１４Ａ２、１４Ｂ１及び１４Ｂ２で囲まれる空間ＰＳを形成することができる。このため、空間ＰＳを、着替え用のスペースや、シャワー室又はトイレとして利用することができる。図１には、床部１２又は壁部１４Ａ１等に水道管を通すことによって、洗面台及び便器を設置した様子が示されている。また、撤収時は、後述する幕体及びフレームをこの空間ＰＳ内に保管することにより、幕体等が汚れたり、劣化することを抑制することができる。例えば、組立式テント１０を山地における避難用の施設として用いる場合、避難者は、空間ＰＳ内に保管されている幕体及びフレームを用いて組立式テント１０を組み立てることができる。
【００２８】
壁部１４Ａ３乃至１４Ａ４は、空間ＤＳ内における調理等の作業をするために、領域１２Ｄ上の壁部として形成される。本実施形態において、壁部１４Ａ３は、長辺１２Ａ１の三分の一弱の長さを有し、壁部１４Ａ１の半分程度の高さを有する板状に形成される。壁部１４Ａ３は、角部１２Ｃ３を含む長辺１２Ａ１の端部において床部１２に固着し、この端部からＬ字形に立ち上がるように形成されている。壁部１４Ａ４は、短辺１２Ｂ２に沿って床部１２に固着され、側端部において、壁部１４Ａ３の角部１２Ｃ３側の側端部にも固着される。更に、壁部１４Ａ４と平行となるように、床部１２と固着され、側端部において、壁部１４Ａ３の角部１２Ｃ１側の側端部と固着される新たな壁部を設けてもよい。壁部１４Ａ４及び新たに追加する壁部の高さは、壁部１４Ａ３と同一である。図１に示されるように、壁部１４Ａ３及び１４Ａ４の空間には、例えば、コンロ、冷蔵庫、又は、流し台などを設置することができる。後述するように、壁部１４Ａ３及び１４Ａ４は、横幕４０によって組立式テント１０の内部に収容される。
【００２９】
以上のような構成の結果、組立式テント１０の組み立て前の状態において、既に、床部１２と、床部１２の短辺１２Ｂ１から、床部１２とＬ字形をなすように立ち上がって形成される壁部１４Ｂ１と、床部１２の長辺１２Ａ１の一部から、床部１２とＬ字形をなすように立ち上がって形成される壁部１４Ａ１が形成されている。これら床部１２及び壁部１４Ａ１及び１４Ｂ１は、コンクリートから形成され、かつ、地面に固定される床部１２に固着されているから、堅牢で、耐久性が高い組立式テント１０を提供することができる。また、床部１２の内方に向かって形成される壁部１４Ａ２及び壁部１４Ｂ２によって、コンクリートからなる４つの壁部で囲まれるプライベートな空間ＰＳを提供することもできる。このように、組立式テント１０は、幕体のみから構成される組立式テントでは得られない、耐久性、快適性及び安全性を提供することができる。例えば、山の斜面側など、耐久性や安全性が求められる方向を向くように壁部１４Ｂ１又は壁部１４Ａ１を設け、一方で、調理作業や食事をする空間ＤＳを、広場など開放的なスペースに面するようにしてもよい。
【００３０】
以下では、組立式テント１０を組み立てる手順について説明する。作業者は、床部１２及び壁部１４Ａ１、１４Ａ２、１４Ｂ１、１４Ｂ２を利用することにより、組立式テント１０を容易に設営することができる。
【００３１】
まず、図２に示されるように、フレームを組み立てる。フレームは、垂直に床部１２から立設する４本の金属製の支柱フレーム２０Ａ乃至２０Ｄと、床部１２から離間した上方において、支柱フレーム２０Ａ乃至２０Ｄの上端間を連結し、又は、壁部１４Ｂ１等の上面又は上方に配置される１０本の桁フレーム２２と、屋根部分を構成するために傾斜して連結される８本の合掌フレーム２４と、屋根の頂部を構成するために合掌フレーム２４に連結される４本の棟フレーム２６から構成される。これら各フレームは、様々な方法で連結することができる。例えば、支柱フレーム２０Ａの上端部に、２つの桁フレーム２２と合掌フレーム２４と連結するために、これら各フレームの方向を向いた中空円筒状の３つの連結部を設け、この連結部に各フレームを挿入し、ボルト及びナット等で連結するようにしてもよい。同様に、所定のフレームの端部に、他のフレームと連結するための連結部を設けることにより、フレーム同士を連結することができる。別の方法として、支柱フレーム２０Ａの端部に、桁フレーム２２の一部となるフレーム等を回動自在に連結しておき、同様に、支柱フレーム２０Ｂの端部に、桁フレーム２２の一部となるフレーム等を回動自在に連結しておき、支柱フレーム２０Ａに連結される桁フレーム２２の一部と、支柱フレーム２０Ｂに連結される桁フレーム２２の一部を連結させてボルト及びナット等で固定するようにしてもよい。なお、各フレームの連結部をなす端部には、不図示の筋交いを設け、連結される他のフレームを支持するにしてもよい。これらフレームは、例えば、中空円筒状のスチール等の金属から形成することができる。また、木製や強化樹脂等の樹脂からフレームを形成してもよい。
【００３２】
ここで、床部１２の４つの角部１２Ｃ１乃至１２Ｃ４のうち、角部１２Ｃ１及び１２Ｃ２には、壁部１４Ａ１乃至壁部１４Ｂ１が形成されている。このため、作業者は、床部１２の４つの角部１２Ｃ１乃至１２Ｃ４のうち、角部１２Ｃ３及び１２Ｃ４のみにおいて、角柱となる支柱フレーム２０Ａ及び２０Ｂを立設すればよい。また、壁部１４Ａ１が形成されているため、この部分に中柱を設ける必要はなく、長辺１２Ａ２のみについて、中柱となる支柱フレーム２０Ｃ及び２０Ｄを立設すればよい。このように従来はフレームが設けられている部分をコンクリートからなる壁部で代替するようにしたから、フレームのみからなるテントと比較して、堅牢な組立式テント１０を容易に組み立てることが可能になる。
【００３３】
また、床部１２の支柱フレーム２０Ａ乃至２０Ｄを立設すべき場所には、予め支柱フレーム２０Ａ乃至２０Ｄを支持するための支持具が形成されている。この支持具は、支柱フレーム２０Ａ乃至２０Ｄを挿入することができる中空円筒状の上を向いた金属製のパイプ部と、このパイプ部と一体的に形成され、床部１２にボルト等で固定される金属製の支持部を備える。組立式テント１０を設営する作業者は、支柱フレーム２０Ａ乃至２０Ｄを、支持部のパイプ部に挿入することによって容易に支柱フレーム２０Ａ乃至２０Ｄを立設することが可能となる。なお、床部１２に直接窪みなどを設け、支柱フレーム２０Ａ乃至２０Ｄを立設可能に構成してもよい。また、壁部１４Ａの上面等にも、同様の支持具が設けられる。例えば、壁部１４Ａの上面には、２本の桁フレーム２２及び１本の棟フレーム２４を挿入するために、中空円筒状の上を向いた３本の金属製のパイプ部を備える支持具が設けられる。
【００３４】
次いで、図３に示されるように、床部１２上の空間全体を上から覆う屋根部となる天幕３０が取り付けられる。天幕３０は、合掌フレーム２４及び棟フレーム２６によって支持される。天幕３０の内側下端部には、不図示のテープが所定間隔で垂れ下がっている。このテープを、バックルを用いて桁フレーム２２等に結びつけることによって、天幕３０を固定することができる。更に、壁部１４Ａ１及び１４Ｂ１の外側を向いた壁面の上端に、所定間隔をおいて金属製のフックなどを打ち込み、一方で、天幕３０の対応する部分に小孔を形成し、この小孔を通したゴム紐をフックに結んで固定することで、桁フレーム２２がない部分についても、天幕３０を好適に固定することができる。
【００３５】
最後に、図４に示されるように、壁部となる横幕４０が取り付けられ、組立式テント１０が完成する。横幕４０は、壁部１４Ａ１及び１４Ｂ１を除いた側面に、床部１２と垂直をなすように設置される。このため、組立式テント１０は、コンクリートの壁面（ただし、表面にモルタル等の塗布材や内装材が形成されている場合を含む）と、布地の壁面から構成される。具体的には、短辺１２Ｂ１上の壁面は、全面がコンクリートの壁部１４Ｂ１から形成され、長辺１２Ａ１上の壁面は、一部がコンクリートの壁部１４Ａ１から形成され、一部が布地からなる横幕４０による壁部から形成される。長辺１２Ａ２上の壁面には、コンクリートの壁部が形成されていないので、横幕４０のみからなる壁部が形成される。ただし、図４に示されるように、空間ＤＳの外部に面した壁面については、開放感を増すために、横幕４０を設けなくてもよいし、又は、ロールアップしてもよい。なお、図４に示されるように、横幕４０に切込みを入れて、横幕４０の一部をロールアップすることにより、窓ＷやドアＤを設けることができるようにしてもよい。また、横幕４０の内側上端部には、不図示のテープが所定間隔で垂れ下がっている。このテープを、バックルを用いて桁フレーム２２等に結ぶことによって、横幕４０の上端部を固定することができる。また、床部１２の側面に金属製のフックを所定間隔で打ち込んでおき、一方で横幕４０の下端部には、フックを通すための小孔を同じ間隔で形成することにより、横幕４０の下端部を固定することができる。更に、支柱フレーム２０Ａ乃至２０Ｄを挿通できるように、一部二重に横幕４０を形成してもよい。また、天幕３０と同様に、壁部１４Ａ１等の壁面に、上下方向に所定間隔をおいてフックなどを打ち込み、一方で、横幕４０の対応する部分に小孔を形成し、この小孔を通したゴム紐をフックに結んで固定することで、横幕４０の側端部についても、固定することができる。
【００３６】
これら天幕３０及び横幕４０は、折り畳み可能な布地又はプラスチックフィルム等などテントの幕体として使用可能な多様な素材から形成される。また、撤収時には、空間ＰＳ内に収容することができる。なお、天幕３０と横幕４０の一部又は全部を一体的に形成してもよい。
【００３７】
図５（ｃ）は、完成した組立式テント１０の正面図、図５（ａ）は、同右側面図、図５（ｄ）は、同左側面図、図５（ｂ）は、同背面図である。右側図に示されるように、組立式テント１０は、一つの壁面は、コンクリートからなる壁部１４Ｂ１のみから形成され、背面図に示されるように、他の一つの壁面は、布地からなる横幕４０のみから形成され、正面図に示されるように、他の１つの壁面は、コンクリートからなる壁部１４Ａ１と布地からなる横幕４０とから形成される。なお、空間ＬＳと空間ＤＳの境界に、同図（ｄ）に示されるように横幕４０を設け、更に、出入り口となるドアＤを設けてもよい。図５（ｃ）に示されるように、高さが低い作業場として設けられた壁部１４Ａ３及び１４Ａ４は、横幕４０で囲まれるため、空間ＤＳは、側方については、横幕４０のみにより外界と区分され、上下方向については、天幕３０と床部１２により外界と区分された領域である。空間ＬＳは、側方については、横幕４０及び壁部１４Ａ１、１４Ａ２、１４Ｂ１、１４Ｂ２により外界と区分され、上下方向については、天幕３０と床部１２により外界と区分された領域である。空間ＰＳは、側方については、壁部１４Ａ１、１４Ａ２、１４Ｂ１、１４Ｂ２により外界と区分され、上下方向については、天幕３０と床部１２により外界と区分された領域である。
【００３８】
上述した通り、このような異方性を設けることにより、組立式テント１０内に、従来の幕体のテントなどで実現されていた、すなわち、幕体で囲まれ、コンクリート壁面で囲まれない、土足のまま作業や食事ができるような開放的な空間ＤＳと、一部はコンクリート壁面で一部は幕体で囲まれる、空間ＤＳよりもプライベート性の高い就寝等するための空間ＬＳを共存することができる。更に、壁部１４Ａ２等を設けることにより、コンクリート壁面で囲まれ、最もプライベート性の高いシャワー等を浴びるための空間ＰＳを設けることもできる。
【００３９】
しかも、木造や石造の小屋ほど設営に労力と時間を要することもなく、従来のテントと比較すると、多少の時間と労力を要する場合はあるものの、支柱フレームの替わりとして機能する壁部１４Ａ１や壁部１４Ｂ１を利用して、簡易かつ迅速に、組立式テント１０を設営し、また、幕体を外し、フレームを分解することで容易に撤収することができる。例えば、所定の期間だけ稼働するような家屋（いわゆる海の家や、スキー場の簡易宿泊施設）や、イベントのために設営される家屋として、組立式テント１０を用いて、稼働期間外や、営業時間外は、幕体等を空間ＰＳ内に収容するようにしてもよい。特に、床部１２そのものに支柱フレーム２０Ａ等を立設するための支持具を設けたので、地面上に支柱フレームを立設する手間を省略することができる。
【００４０】
また、コンクリートの壁部に水道管を埋設することによって、トイレやシャワーなど水回りを予め設置できるので、従来型のテントと比較して、給水や排水、維持管理を容易に実現することができる。また、薪ストーブの煙突をコンクリートの壁部に貫通させることによって、耐熱や防火を十分に確保して薪ストーブを設置することもできる。
【００４１】
なお、床部１２は、壁部１４Ａ１及び壁部１４Ａ２よりもわずかにはみ出るように形成してもよい。また、矩形以外の三角形、五角形等の多角形から床部１２を形成してもよい。
【００４２】
その他、本発明は、その要旨を逸脱しない限り、さまざまな変形が可能である。たとえば、当業者の通常の創作能力の範囲内で、ある実施形態における一部の構成要素を他のものに変形したり、取り除いてもよい。
【符号の説明】
【００４３】
ＤＳ   空間
ＬＳ   空間
ＰＳ   空間
１０   組立式テント
１２   床部
１２Ｃ１-１２Ｃ４    角部
１４Ａ１-１４Ａ４    壁部
２０Ａ-２０Ｄ 支柱フレーム
２２   桁フレーム
２４   合掌フレーム
２６   棟フレーム
３０   天幕
４０   横幕
【図１】
2020041283.tif 000003
【図２】
2020041283.tif 000004
【図３】
2020041283.tif 000005
【図４】
2020041283.tif 000006
【図５】
2020041283.tif 000007